【手続補正書】
【提出日】平成16年6月28日(2004.6.28)
【手続補正１】
【補正対象書類名】明細書
【補正対象項目名】特許請求の範囲
【補正方法】変更
【補正の内容】
【特許請求の範囲】
【請求項１】
管状光源からの光束に対し、前記光源の長手方向および光軸方向に直交する方向において集光作用および発散作用のうち一方の光学作用を及ぼす第１の光学作用部と他方の光学作用を及ぼす第２の光学作用部とを有し、
これら第１および第２の光学作用部が光軸方向において互いに重なる面積を変化させることにより照明配光角度を変化させることを特徴とする照明装置。
【請求項２】
前記第１および第２の光学作用部を前記光源の長手方向に相対移動させることを特徴とする請求項１に記載の照明装置。
【請求項３】
前記第１および第２の光学作用部が、光軸方向において互いに少なくとも一部が重なる位置と互いに重ならない位置との間で前記光源の長手方向に相対移動することを特徴とする請求項１又は２に記載の照明装置。
【請求項４】
前記第１および第２の光学作用部が、光軸方向において互いに重なる位置と互いに一部が重ならない位置との間で前記光源の長手方向に相対移動することを特徴とする請求項１又は２に記載の照明装置。
【請求項５】
前記第１および第２の光学作用部のうち一方に対して移動する他方の光学作用部を、前記一方の光学作用部よりも前記光源の長手方向について小さく形成し、
前記他方の光学作用部を前記一方の光学作用部の長手方向両端間の範囲内で移動させることを特徴とする請求項１から４のいずれか１つに記載の照明装置。
【請求項６】
前記光源からの光束を略平行光束に変換して前記第１および第２の光学作用部に導く平行変換光学作用部を有することを特徴とする請求項１から５のいずれか１つに記載の照明装置。
【請求項７】
前記第１および前記第２の光学作用部のうち前記平行変換光学作用部により略平行光束とされた光束が入射する集光作用を有する光学作用部が、その略平行光束に対して収斂性を持つことを特徴とする請求項６に記載の照明装置。
【請求項８】
前記平行変換光学作用部と前記第１および第２の光学作用部のうち一方が一体の光学素子に形成されており、
前記第１および第２の光学作用部のうち他方の光学作用部が、前記第１の光学作用部に対して前記光源の長手方向に移動することを特徴とする請求項７に記載の照明装置。
【請求項９】
前記光学素子がプリズムであり、
このプリズムは、集光作用を有する前記平行変換光学作用部としての反射面と、前記一方の光学作用部としてのレンズ面とを有することを特徴とする請求項８に記載の照明装置。
【請求項１０】
前記光学素子の射出面のうち前記第１の光学作用部と第２の光学作用部とが重なっている領域外に、前記平行変換光学作用部により変換された略平行光束を略平行光束のまま射出させる非光学作用部を設けたことを特徴とする請求項８又は９に記載の照明装置。
【請求項１１】
前記光源の外周面のうち照明光の照射方向と反対側の部分を覆う反射板を有することを特徴とする請求項１から１０のいずれか１つに記載の照明装置。
【請求項１２】
前記光源の外周面のうち照明光の照射方向と反対側の部分と前記プリズムの反射面のうち全反射条件を満たさない部分とを少なくとも覆う反射板を有することを特徴とする請求項９に記載の照明装置。
【請求項１３】
前記第１の光学作用部が、前記光源の長手方向に直交する方向に正又は負の屈折力を有するシリンドリカルレンズにより構成されていることを特徴とする請求項１から１２のいずれか１つに記載の照明装置。
【請求項１４】
前記第２の光学作用部が、前記光源の長手方向に直交する方向に正又は負の屈折力を有するシリンドリカルレンズにより構成されていることを特徴とする請求項１から１３のいずれか１つに記載の照明装置。
【請求項１５】
前記第１の光学作用部が、前記光源の長手方向に直交する方向に正又は負の屈折力を有する複数のシリンドリカルレンズにより構成されていることを特徴とする請求項１から１２のいずれか１つに記載の照明装置。
【請求項１６】
前記第２の光学作用部が、前記光源の長手方向に直交する方向に正又は負の屈折力を有する複数のシリンドリカルレンズにより構成されていることを特徴とする請求項１から１２又は１５のいずれか１つに記載の照明装置。
【請求項１７】
前記第１の光学作用部および、前記第２の光学作用部に平行光を入射させた場合の最大偏向角度が１０度以上であることを特徴とする請求項１から１６のいずれか１つに記載の照明装置。
【請求項１８】
請求項１から１７のいずれか１つに記載の照明装置を備えたことを特徴とする撮影装置。
【手続補正２】
【補正対象書類名】明細書
【補正対象項目名】００３１
【補正方法】変更
【補正の内容】
【００３１】
図３，４，７および図８に示すように、プリズム３の射出面における紙面左右方向の両側の周辺部には、上述した射出平面部３Ｈ１およびこれと同形状の射出平面部３Ｈ２が、レンズ板４（およびこれと同一形状のレンズ板５）に重なる大きさに形成されている。また、プリズム３の射出面におけるこれら射出平面部３Ｈ１，３Ｈ２の間には、上述した複数のシリンドリカルレンズ部３Ｐが、２つのレンズ板４，５に重なる大きさに形成されている。
【手続補正３】
【補正対象書類名】明細書
【補正対象項目名】００３４
【補正方法】変更
【補正の内容】
【００３４】
図３，４（図１，２）において、収斂性を有するシリンドリカルレンズ部３Ｐと、プリズム３の左右方向中央側にスライドしたレンズ板４，５の発散性を有するシリンドリカルレンズ部４Ｎ，５Ｎは完全に重なっている。そしてこの状態では、図２にて説明したように、シリンドリカルレンズ部３Ｐとシリンドリカルレンズ部４Ｎ，５Ｎとがほぼ密着しているため、シリンドリカルレンズ部３Ｐに入射した略平行光束は収斂も拡散もせず、略平行光束のままレンズ板４（５）から射出する。
【手続補正４】
【補正対象書類名】明細書
【補正対象項目名】００６０
【補正方法】変更
【補正の内容】
【００６０】
図１１，１２（図９，１０）において、収斂性を有するシリンドリカルレンズ部６Ｐと、プリズム６の左右方向両端までスライドしたレンズ板７，８における発散性を有するシリンドリカルレンズ部７Ｎ，８Ｎはほぼ完全に重なっている。そしてこの状態では、図９にて説明したように、シリンドリカルレンズ部６Ｐとシリンドリカルレンズ部７Ｎ，８Ｎとがほぼ密着しているため、シリンドリカルレンズ部６Ｐに入射した略平行光束は収斂も拡散もせず、略平行光束のままレンズ板７（８）から射出する。
【手続補正５】
【補正対象書類名】明細書
【補正対象項目名】００８７
【補正方法】変更
【補正の内容】
【００８７】
図１９，２０（図１７，１８）において、収斂性を有するシリンドリカルレンズ部９Ｐと、プリズム９の左側端までスライドしたレンズ板１０における発散性を有するシリンドリカルレンズ部１０Ｎはほぼ完全に重なっている。そしてこの状態では、図１７にて説明したように、シリンドリカルレンズ部９Ｐとシリンドリカルレンズ部１０Ｎとがほぼ密着しているため、シリンドリカルレンズ部９Ｐに入射した略平行光束は収斂も拡散もせず、略平行光束のままレンズ板１０から射出する。
【手続補正６】
【補正対象書類名】明細書
【補正対象項目名】０１０９
【補正方法】変更
【補正の内容】
【０１０９】
図２６において、プリズム１１のＱ断面の射出面には、入射する略平行光束に対して収斂性を有する複数のシリンドリカルレンズ部（第１の光学作用部）１１Ｐが形成されている。図２６の状態では、これらシリンドリカルレンズ部１１Ｐに対向して、その屈折力を打ち消す発散性（発散作用）を有するシリンドリカルレンズ部（第２の光学作用部）１２Ｎを有するレンズ板１２がほぼ密着した状態で配置される。
【手続補正７】
【補正対象書類名】明細書
【補正対象項目名】０１１３
【補正方法】変更
【補正の内容】
【０１１３】
そして、各レンズ板１２〜１５は、各シリンドリカルレンズ部１１Ｐ，１１ＰＬ，１１ＰＲに完全に重なる位置と射出平面部１１Ｈ１〜１１Ｈ２に完全に重なる位置（シリンドリカルレンズ部１１Ｐ，１１ＰＬ，１１ＰＲには全く重ならない位置）との間で、左右方向すなわち発光管１の長手方向にスライド移動可能となっている。
【手続補正８】
【補正対象書類名】明細書
【補正対象項目名】０１１４
【補正方法】変更
【補正の内容】
【０１１４】
なお、レンズ板１２〜１５のスライド駆動機構に関しては詳しく説明しないが、例えば撮影光学系のズーミングに連動してレンズ板１２〜１５をスライドさせるメカ的機構を採用することが可能である。
【手続補正９】
【補正対象書類名】明細書
【補正対象項目名】０１１５
【補正方法】変更
【補正の内容】
【０１１５】
図２７，２８（図２５，２６）において、収斂性を有するシリンドリカルレンズ部１１Ｐ，１１ＰＬ，１１ＰＲと、レンズ板１２〜１５おける発散性を有するシリンドリカルレンズ部１２Ｎ〜１５Ｎはほぼ完全に重なっている。そしてこの状態では、図２６にて説明したように、シリンドリカルレンズ部１１Ｐ（１１ＰＬ，１１ＰＲ）とシリンドリカルレンズ部１２Ｎ〜１５Ｎとがほぼ密着しているため、シリンドリカルレンズ部１１Ｐ（１１ＰＬ，１１ＰＲ）に入射した略平行光束は収斂も拡散もせず、略平行光束のままレンズ板１２，１４（１３，１５）から射出する。
【手続補正１０】
【補正対象書類名】明細書
【補正対象項目名】０１１６
【補正方法】変更
【補正の内容】
【０１１６】
一方、図２５において、プリズム１１の射出平面部１１Ｈ２にはもともと収斂作用も発散作用もないため、この射出平面部１１Ｐ（１１ＰＬ，１１ＰＲ）に入射した光束は、略平行光束のまま射出平面部１１Ｈ２（１１Ｈ１，１１Ｈ３，１１Ｈ４）から射出する。
【手続補正１１】
【補正対象書類名】明細書
【補正対象項目名】０１４１
【補正方法】変更
【補正の内容】
【０１４１】
図３５，３６（図３３，３４）において、収斂性を有する凸シリンドリカルレンズ部１６Ｐと、プリズム１６の中央側にスライドしたレンズ板１７，１８における発散性を有する凹シリンドリカルレンズ部１７Ｎ，１８Ｎは完全に重なっている。そしてこの状態では、凸シリンドリカルレンズ部１６Ｐと凹シリンドリカルレンズ部１７Ｎ，１８Ｎとがほぼ密着した状態で重なっているので、凸シリンドリカルレンズ部１６Ｐに入射した略平行光束は収斂も拡散もせず、略平行光束のままレンズ板１７（１８）から射出する。
【手続補正１２】
【補正対象書類名】明細書
【補正対象項目名】０１４８
【補正方法】変更
【補正の内容】
【０１４８】
また、レンズ板１７，１８が図３５，３６に示す位置と図３９，４０に示す位置との中間の位置にあるときは、凸シリンドリカルレンズ部１６Ｐと凹シリンドリカルレンズ部１７Ｎ，１８Ｎとの重なり合う面積が図３５，３６の半分となり、全射出面において射出する光束を上下方向に発散ないし拡散させる領域の面積が半分となるので、上下方向の配光角度は、上記最小および最大配光角度の中間の値となる。そして、凸シリンドリカルレンズ部１６Ｐと凹シリンドリカルレンズ部１７Ｎ，１８Ｎとの重なり合う面積を零から最大との間で連続的に変化させることにより、配光角度も最小と最大との間で連続的に変化させることができる。
【手続補正１３】
【補正対象書類名】明細書
【補正対象項目名】０１５５
【補正方法】変更
【補正の内容】
【０１５５】
また、上記各実施形態では、カメラに用いられる照明装置（ストロボ装置）について説明したが、本発明は照明光の照射範囲を可変とした照明装置として、照明範囲を変えることができる室内の照明装置やフラッシュ光による通信装置等、広い範囲の応用が可能と考えられる。